(57)【要約】【課題】  表示パネルの温度が高温度になる厳しい環境においても、発光素子の劣化を抑制しつつ各種の情報や画素の表示を可能にした表示装置、および移動体の表示モジュールを提供する。【解決手段】  移動体の表示モジュール１の画像制御ユニットＣＵは、画像処理回路１１０と、温度検出回路３００と、アナログ／デジタル変換器３１０と、コントローラ３２０と、輝度調整回路３３０とを備える。コントローラ３２０は、温度検出回路３００で検出した有機ＥＬパネルの温度が閾値より高くなると、各有機ＥＬパネル２，３による表示態様を変更するための表示態様変更信号ｕを輝度調整回路３３０へ出力する。輝度調整回路３３０は、ＲＧＢ３種類の有機ＥＬ素子全体での輝度を一定に保ったまま、３種類の有機ＥＬ素子のうち特性劣化の温度依存性の大きな色の有機ＥＬ素子の輝度を下げるように、３種類の有機ＥＬ素子の輝度比を変える。【選択図】      図１
2006250992.tif 000002
【特許請求の範囲】
【請求項１】
複数の走査線と複数のデータ線の交差に対応してマトリクス状に配置された複数の画素と、各画素に設けられた複数の発光素子とを有する表示パネルを備え、画像データに基づいて前記表示パネルを駆動する表示装置において、
前記表示パネルの温度を検出する温度検出手段と、
前記温度検出手段で検出された前記表示パネルの温度が予め設定された閾値より高くなると、前記各画素の前記複数の発光素子のうち、特性劣化の温度依存性の大きな発光素子の輝度を小さくするように、前記表示パネルによる表示態様を変更する表示態様変更手段と、を備えることを特徴とする表示装置。
【請求項２】
請求項１に記載の表示装置において、
前記各画素が赤色，緑色および青色の光をそれぞれ放射する赤用発光素子，緑用発光素子および青用発光素子の３種類の発光素子を含むことを特徴とする表示装置。
【請求項３】
請求項２に記載の表示装置において、
前記表示態様変更手段は、前記パネルの温度が前記閾値より高くなると、前記３種類の発光素子全体での輝度を一定に保ったまま、前記３種類の発光素子のうち特性劣化の温度依存性の大きな発光素子の輝度を下げるように前記３種類の発光素子の輝度比を変える輝度調整手段を備える、ことを特徴とする表示装置。
【請求項４】
請求項２に記載の表示装置において、
前記表示態様変更手段は、前記表示パネルの温度が前記閾値より高くなると、前記表示パネルで表示される画像の背景色を、前記３種類の発光素子のうち、特性劣化の温度依存性の小さな発光素子の色をベースにした表示に変える輝度調整手段を備える、ことを特徴とする表示装置。
【請求項５】
請求項２に記載の表示装置において、
前記表示態様変更手段は、前記表示パネルの温度が前記閾値より高くなると、前記３種類の発光素子の輝度比は変えずに、前記３種類の発光素子の輝度をそれぞれ下げる輝度調整手段を備えることを特徴とする表示装置。
【請求項６】
請求項２に記載の表示装置において、
前記表示態様変更手段は、前記表示パネルの温度が前記閾値より高くなると、前記表示パネルでの表示をアナログ表示からデジタル表示に変更するとともに、前記デジタル表示を前記３種類の発光素子のうち、特性劣化の温度依存性の小さな発光素子の色をベースにした表示に変える画像処理手段を備えることを特徴とする表示装置。
【請求項７】
請求項６に記載の表示装置において、
前記表示態様変更手段は、前記表示パネルでデジタル表示をしている間、前記デジタル表示は前記表示パネルの温度が下がるまでの一時的な表示であることを知らせるメッセージを前記表示パネルに表示させることを特徴とする表示装置。
【請求項８】
複数の走査線と複数のデータ線の交差に対応してマトリクス状に配置された複数の画素と、各画素に設けられた複数の発光素子とをそれぞれ有する複数の表示パネルを備え、画像データに基づいて前記複数の表示パネルで異なる表示をさせる移動体の表示モジュールにおいて、
前記表示パネルの温度を検出する温度検出手段と、
前記温度検出手段で検出された前記表示パネルの温度が予め設定された閾値より高くなると、前記各画素の複数の発光素子のうち、特性劣化の温度依存性の大きな発光素子の輝
度を下げるように、前記複数の表示パネルの一部或いは全部の表示態様を変更する表示態様変更手段と、を備えることを特徴とする移動体の表示モジュール。
【請求項９】
請求項８に記載の移動体の表示モジュールにおいて、
前記各画素が赤色，緑色および青色の光をそれぞれ放射する赤用発光素子，緑用発光素子および青用発光素子の３種類の発光素子を含むことを特徴とする移動体の表示モジュール。
【発明の詳細な説明】
【技術分野】
【０００１】
本発明は、自動車等の車両、航空機、船舶、電車等の移動体に搭載され、移動体の速度、エンジン回転数、ナビゲーション装置の地図情報等を表示する有機ＥＬ表示装置等の表示装置、および移動体の表示モジュールに関する。
【背景技術】
【０００２】
近年、有機エレクトロルミネッセンス（以下、ＥＬという。）素子を用いた有機ＥＬパネルが、低消費比電力、高視野角、高コントラスト比で他の装置より優れているとして注目されている。こうした有機ＥＬパネルを用いた有機ＥＬ表示装置が知られている（例えば、特許文献１参照）。
【０００３】
また、従来、自動車等の車両のインストルメントパネルに搭載される車両用情報表示装置として、液晶ディスプレイ装置によって構成される一つの画面（マルチディスプレイ装置）内に、複数の表示をさせるようにしたものが知られている（特許文献２参照）。このような車両用情報表示装置では、一つの液晶パネルを使っている。この液晶パネル内に、速度を表示するスピードメータとしての第１の表示部と、エンジン回転数を表示するタコメータとしての第２の表示部と、カーナビゲーション装置の地図情報等を表示する第３の表示部とにより、３種類の表示を行うようになっている。
【特許文献１】特開２００４−１２７９２４号公報
【特許文献２】特開２００４−２９１７３１号公報
【発明の開示】
【発明が解決しようとする課題】
【０００４】
ところで、上記特許文献１に記載されているような従来の有機ＥＬ表示装置では、マトリクス状に配置されたＲＧＢ３種類の有機ＥＬ素子（赤用、緑用および青用の各有機ＥＬ素子）ごとに熱に対する劣化、熱安定性が異なる。例えば、赤用と緑用の各有機ＥＬ素子の材料は熱に弱い（特性劣化の温度依存性が大きい）が、青用の有機ＥＬ素子の材料はかなり温度が高くなっても劣化しない。
【０００５】
このような有機ＥＬ表示装置を、自動車等の車両のインストルメントパネルに搭載して、車速やエンジン回転数等の各種の車情報を有機ＥＬパネルで表示させる場合、有機ＥＬパネルの温度が上がると寿命が短くなる。自動車等の車両では、車室内温度或いは有機ＥＬパネルの温度が８５℃位でも有機ＥＬパネルの各有機ＥＬ素子を正常に発光させる必要がある。そのためには、有機ＥＬパネルが高温度になる場合の各有機ＥＬ素子の寿命対策が必要になる。また、移動体の計器盤、例えば自動車等の車両のインストルメントパネルでは、各種メータは、一定の形態でしか表示ができない。
【０００６】
本発明は、このような従来の問題点に着目してなされたもので、その目的は、表示パネルの温度が高温度になる厳しい環境においても、発光素子の劣化を抑制しつつ各種の情報や画素の表示を可能にした表示装置、および移動体の表示モジュールを提供することにある。
【課題を解決するための手段】
【０００７】
本発明における表示装置は、複数の走査線と複数のデータ線の交差に対応してマトリクス状に配置された複数の画素と、各画素に設けられた複数の発光素子とを有する表示パネルを備え、画像データに基づいて前記表示パネルを駆動する表示装置において、前記表示パネルの温度を検出する温度検出手段と、前記温度検出手段で検出された前記表示パネル
の温度が予め設定された閾値より高くなると、前記各画素の前記複数の発光素子のうち、特性劣化の温度依存性の大きな発光素子の輝度を小さくするように、前記表示パネルによる表示態様を変更する表示態様変更手段と、を備えることを要旨とする。
【０００８】
これによれば、特性劣化の温度依存性の大きな発光素子の劣化を抑制することができるとともに、表示パネルの温度によって表示に変化を持たせることができる。特に、本発明に係る表示装置を自動車等の車両のインストルメントパネルに搭載し、スピードメータやタコメータ等を表示パネルで表示させる場合、表示パネルの温度が高温度になる厳しい環境においても、発光素子の劣化を抑制しつつスピードメータ等の表示を行うことができる。また、スピードメータ等の表示態様を表示パネルの温度によって変えることで、移動体の計器盤、例えば自動車等の車両のインストルメントパネル全体の表示デザインを変更することができる。したがって、表示パネルの温度が高温度になる厳しい環境においても、発光素子の劣化を抑制しつつ各種の情報や画素の表示が可能になる。
【０００９】
なお、本明細書中において、「特性劣化」とは、発光素子を点灯することにより、その発光素子の輝度あるいは発光効率等、その他の発光素子の素子特性が低下することを表す。高温環境下で発光素子を点灯させる場合には、特性劣化が加速される。ある温度において点灯させた時に、前記劣化特性が著しいものが、劣化特性の温度依存性の大きな発光素子であると定義される。
【００１０】
この表示装置において、前記各画素が赤色，緑色および青色の光をそれぞれ放射する赤用発光素子，緑用発光素子および青用発光素子の３種類の発光素子を含むことを要旨とする。これによれば、特性劣化の温度依存性の大きな発光素子の劣化を抑制することができ、表示パネルの長寿命化を図れる。
【００１１】
この表示装置において、前記表示態様変更手段は、前記パネルの温度が前記閾値より高くなると、前記３種類の発光素子全体での輝度を一定に保ったまま、前記３種類の発光素子のうち特性劣化の温度依存性の大きな発光素子の輝度を下げるように前記３種類の発光素子の輝度比を変える輝度調整手段を備える、ことを要旨とする。
【００１２】
これによれば、検出した表示パネルの温度が閾値より高くなると、３種類の発光素子全体での輝度を一定に保ったまま、特性劣化の温度依存性の大きな発光素子、例えば、赤用発光素子や緑用発光素子の輝度を下げる。赤用発光素子や緑用発光素子の輝度を下げた分だけ、特性劣化の温度依存性の小さな発光素子、例えば青用発光素子の輝度を上げる。これにより、画面全体の輝度を変えずに、特性劣化の温度依存性の大きな発光素子の劣化を抑制することができ、表示パネルの長寿命化を図れる。また、表示パネルの温度が閾値より高くなるときと閾値以下のときとで、３種類の発光素子の輝度比を変えることで、表示に変化を持たせることができる。したがって、本発明に係る表示装置を移動体として自動車等の車両のインストルメントパネルに搭載し、表示パネルでスピードメータやタコメータ等を表示させる場合、表示パネルの温度が高温度になる厳しい環境においても、表示パネルの長寿命化を図りつつ、インストルメントパネル全体の表示デザインを変更することができる。
【００１３】
この表示装置において、前記表示態様変更手段は、前記表示パネルの温度が前記閾値より高くなると、前記表示パネルで表示される画像の背景色を、前記３種類の発光素子のうち、特性劣化の温度依存性の小さな発光素子の色をベースにした表示に変える輝度調整手段を備える、ことを要旨とする。
【００１４】
これによれば、表示パネルの温度が閾値より高くなると、表示パネルで表示される画像の背景色を３種類の発光素子のうち、特性劣化の温度依存性の小さな発光素子の色をベー
スにした表示に変えることで、表示パネルの長寿命化を図りつつ、表示デザインを変更することができる。表示パネルの温度が低いときと高いときとで、表示パネルで表示される画像の背景色が変わるので、ユーザに対し表示デザインが変わったような印象を与えることができる。
【００１５】
この表示装置において、前記表示態様変更手段は、前記表示パネルの温度が前記閾値より高くなると、前記３種類の発光素子の輝度比は変えずに、前記３種類の発光素子の輝度をそれぞれ下げる輝度調整手段を備えることを要旨とする。これによれば、表示パネルの温度が閾値より高くなると、３種類の発光素子の輝度比は変えずに、３種類の発光素子の輝度をそれぞれ下げることで、特性劣化の温度依存性の大きな発光素子の劣化を抑制することができ、表示パネルの長寿命化を図れる。
【００１６】
この表示装置において、前記表示態様変更手段は、前記表示パネルの温度が前記閾値より高くなると、前記表示パネルでの表示をアナログ表示からデジタル表示に変更するとともに、前記デジタル表示を前記３種類の発光素子のうち、特性劣化の温度依存性の小さな発光素子の色をベースにした表示に変える画像処理手段を備えることを要旨とする。これによれば、表示パネルの温度が低い間は表示パネルでの表示、例えば車速やエンジン回転数等の各種移動体情報の表示をメータでアナログ表示し、表示パネルの温度が高くなると各種移動体情報の表示を前記３種類の発光素子のうち、特性劣化の温度依存性の小さな発光素子の色でデジタル表示する。このため、表示パネルの温度が高温度になる厳しい環境においても特性劣化の温度依存性の大きな発光素子の劣化を抑制して表示パネルの長寿命化を図りつつ、表示デザインを変更することができる。
【００１７】
この表示装置において、前記表示態様変更手段は、前記表示パネルでデジタル表示をしている間、前記デジタル表示は前記表示パネルの温度が下がるまでの一時的な表示であることを知らせるメッセージを前記表示パネルに表示させることを要旨とする。これによれば、デジタル表示と一緒に表示されるメッセージにより、そのデジタル表示は表示パネルの温度が下がるまでの一時的な表示であることを乗員に知らせることができる。
【００１８】
本発明における移動体の表示モジュールは、複数の走査線と複数のデータ線の交差に対応してマトリクス状に配置された複数の画素と、各画素に設けられた複数の発光素子とをそれぞれ有する複数の表示パネルを備え、画像データに基づいて前記複数の表示パネルで異なる表示をさせる移動体の表示モジュールにおいて、前記表示パネルの温度を検出する温度検出手段と、前記温度検出手段で検出された前記表示パネルの温度が予め設定された閾値より高くなると、前記各画素の複数の発光素子のうち、特性劣化の温度依存性の大きな発光素子の輝度を下げるように、前記複数の表示パネルの一部或いは全部の表示態様を変更する表示態様変更手段と、を備えることを要旨とする。
【００１９】
これによれば、特性劣化の温度依存性の大きな発光素子の劣化を抑制することができるとともに、表示パネルの温度によって表示に変化を持たせることができる。特に、本発明に係る表示装置を自動車等の車両のインストルメントパネルに搭載し、複数の表示パネルによりスピードメータやタコメータ等の異なる表示をさせる場合、表示パネルの温度が高温度になる厳しい環境においても、発光素子の劣化を抑制しつつスピードメータ等の表示を行うことができる。また、スピードメータ等の表示態様を表示パネルの温度によって変えることで、移動体の計器盤、例えば自動車等の車両のインストルメントパネル全体の表示デザインを変更することができる。したがって、表示パネルの温度が高温度になる厳しい環境においても、発光素子の劣化を抑制しつつ各種の情報や画素の表示が可能になる。
【００２０】
この移動体の表示モジュールにおいて、前記各画素が赤色，緑色および青色の光をそれぞれ放射する赤用発光素子，緑用発光素子および青用発光素子の３種類の発光素子を含む
ことを要旨とする。
【００２１】
これによれば、複数の表示パネルにおいて特性劣化の温度依存性の大きな発光素子の劣化を抑制して、表示パネルの長寿命化を図ることができる。したがって、本発明に係る移動体の表示モジュールを自動車等の車両のインストルメントパネルに搭載し、複数の表示パネルでスピードメータやタコメータ等を表示させる場合、表示パネルの温度が高温度になる厳しい環境においても、表示パネルの長寿命化を図りつつ、インストルメントパネル全体の表示デザインを変更することができる。
【発明を実施するための最良の形態】
【００２２】
以下、本発明を具体化した各実施形態を、図面に基づいて説明する。
（第１実施形態）
図１は第１実施形態に係る移動体の表示モジュール全体の電気的構成を示している。図２は同表示モジュールで用いるパネルアッセンブリを示し、図３（ａ）は一つの画素回路を示している。
【００２３】
この移動体の表示モジュール１は、図１に示すように、表示パネルとして３つの有機ＥＬパネル２，３，４をそれぞれ有する３つのパネルアッセンブリＡ，Ｂ，Ｃを備える。
本例では、移動体の表示モジュール１は、３つの有機ＥＬパネル２，３，４をそれぞれ有する３つのパネルアッセンブリＡ，Ｂ，Ｃを備えたパネルユニットＰＵと、画像制御ユニットＣＵとを備える。この画像制御ユニットＣＵは、移動体情報データとしての車情報データおよび画像データに基づいて複数の表示用画像データを作成し、これらの画像データを出力する複数の出力ポートを備える。移動体の表示モジュール１は、画像制御ユニットＣＵの複数の出力ポートにパネルアッセンブリＡ，Ｂ，Ｃがそれぞれ電気的に接続され、各有機ＥＬパネル２，３，４に、複数の出力ポートから出力される複数の表示用画像データに基づき異なる表示をさせるようになっている。
【００２４】
（パネルアッセンブリの電気的構成）
次に、各パネルアッセンブリＡ，Ｂ，Ｃの電気的構成を、図１および図２に基づいて説明する。
【００２５】
各パネルアッセンブリＡ，Ｂ，Ｃは、車情報データおよび画像データに基づいてそれぞれ作成された複数の表示用画像データを使って各有機ＥＬパネル２，３，４に表示をさせるパネル制御回路１００が設けられたパネル制御基板１０１をそれぞれ備える。本例では、一例として、車情報データおよび画像データを画像処理する画像処理回路や電源回路が画像制御ユニットＣＵ側に設けられているので、各パネル制御回路１００は画像制御ユニットＣＵから送られる複数の表示用画像データを使って各有機ＥＬパネル２，３，４に表示をさせる。
【００２６】
各パネルアッセンブリＡ，Ｂ，Ｃのパネル制御回路１００は、各有機ＥＬパネル２，３，４の輝度のばらつきを補正するための輝度補正データが格納された記憶手段としてのＥＥＰＲＯＭ１０２をそれぞれ備える。移動体の表示モジュール１は、電源投入時に、各ＥＥＰＲＯＭ１０２に格納された輝度補正データを使って各有機ＥＬパネルの輝度が自動で調整されるようになっている。
【００２７】
また、各パネル制御回路１００は、画像制御ユニットＣＵから送られる複数の表示用画像データを使って各有機ＥＬパネル２，３，４に表示をさせるための信号として、制御信号Ｏ、ドライブデータＰ、パネル電源Ｑをそれぞれ出力する複数の出力端子を有する。これら複数の出力端子（図示省略）は、各有機ＥＬパネル２，３，４を駆動するドライバＩＣ１０３が実装されたフレキシブル配線基板１０４上の複数の配線を介して各有機ＥＬパ
ネル２，３，４の複数のデータ線、複数の電源線、複数の制御信号線と電気的に接続されるようになっている。
【００２８】
ドライバＩＣ１０３は、各有機ＥＬパネル２，３，４の後述する複数のデータ線を駆動するデータ線駆動回路として構成されている。制御信号Ｏは、後述する走査線駆動回路やドライバＩＣ（データ線駆動回路）を制御する信号である。また、ドライブデータＰは、後述する各画素（赤色，緑色および青色の光をそれぞれ放射する赤用発光素子，緑用発光素子および青用発光素子の３種類の発光素子を含む）の画像データ、例えば８ビットのデジタル階調データである。
【００２９】
フレキシブル配線基板１０４は、例えばフレキシブルプリント基板（ＦＰＣ）で構成されている。フレキシブル配線基板１０４上には、各パネル制御回路１００の複数の出力端子とドライバＩＣ１０３の複数の入力側端子とを接続する複数の入力側配線（図示省略）と、ドライバＩＣ１０３の複数の出力端子と各有機ＥＬパネル２，３，４の複数のデータ線および走査線を接続する出力側配線とが形成されている。また、フレキシブル配線基板１０４上には、パネル電源Ｑを各有機ＥＬパネル２，３，４の複数の電源線に供給する電源供給線が形成されている。
【００３０】
（有機ＥＬパネルの電気的構成）
次に、各パネルアッセンブリＡ，Ｂ，Ｃにおける、上記有機ＥＬパネル２，３，４とパネル制御回路１００を含む有機ＥＬ表示装置の電気的構成を、図１〜図３に基づいて説明する。各パネルアッセンブリＡ，Ｂ，Ｃの有機ＥＬ表示装置は同じ構成の有機ＥＬパネル２，３，４をそれぞれ有するので、パネルアッセンブリＡの有機ＥＬ表示装置の電気的構成を説明し、他のパネルアッセンブリＢ，Ｃの有機ＥＬパネル３，４の説明は省略する。
【００３１】
パネルアッセンブリＡの有機ＥＬ表示装置は、電流引き込み型の電流駆動方式（電流プログラム方式）を採用している。この有機ＥＬ表示装置は、有機ＥＬパネル２、このパネル上に形成された左右２つの走査線駆動回路１０６Ｌ，１０６Ｒと、データ線駆動回路としてのドライバＩＣ１０３と、パネル制御回路１００とを備えている。
【００３２】
有機ＥＬパネル２は、図２に示すように、行方向に延びるｎ本の第１走査線Ｙ１〜Ｙｎ（ｎは整数）と列方向に延びるｍ本のデータ線Ｘ１〜Ｘｍ（ｍは整数）との交差に対応してｎ行ｍ列に配列された複数の画素２１０Ａを有している。また、有機ＥＬパネル２は、行方向に延びるｎ本の第２走査線Ｙ１１〜Ｙｎ１を有している。複数の画素２１０Ａはそれぞれ、例えば、Ｒ，Ｇ，Ｂの順に配置された赤用有機ＥＬ素子，緑用有機ＥＬ素子および青用有機ＥＬ素子の３種類の有機ＥＬ素子２２１により一つの画素が構成されている。
【００３３】
走査線駆動回路１０６Ｌは、上記制御信号Ｏとして入力される同期信号、クロック信号に応じたタイミングで、Ｈレベルのプログラム期間選択信号Ｖｐｒｇ（図３（ａ），（ｂ）参照）を順に生成して出力することで、第１走査線Ｙ１〜Ｙｎを線順次走査により一つずつ順に選択するようになっている。図３（ｂ）では、第１走査線Ｙ１〜Ｙｎのうち、第１行目の第１走査線Ｙ１にプログラム期間選択信号Ｖｐｒｇが出力されるプログラム期間（ｔ１時点からｔ２時点までの期間）のみを示してある。
【００３４】
走査線駆動回路１０６Ｒは、上記制御信号Ｏとして入力される同期信号、クロック信号に応じたタイミングで、Ｈレベルの発光期間選択信号Ｖｒｅｐ（図３（ｂ）参照）を順に生成して出力することで、第２走査線Ｙ１１〜Ｙｎ１を線順次走査により一つずつ順に選択するようになっている。なお、図３（ｂ）では、第２走査線Ｙ１１〜Ｙｎ１のうち、第１行目の第２走査線Ｙ１１にＨレベルの発光期間選択信号Ｖｒｅｐが出力される発光期間（ｔ２時点からｔ３時点までの期間）のみを示してある。
【００３５】
そして、ドライバＩＣ１０３は、上記プログラム期間に、選択された１本の第１走査線に接続された各画素回路２２０に、データ線Ｘ１〜Ｘｍをそれぞれ介してプログラム信号電流Ｉｓｉｇ（図３（ｂ）参照）を一斉に供給するようになっている。
【００３６】
各プログラム信号電流Ｉｓｉｇは、階調表示のためのｎビットのデジタル階調データである赤用，緑用および青用の各画素の画像データをドライバＩＣ１０３内でＤ−Ａ変換した電流信号である。本例では、各画素２１０Ａの画像データは、各画素の明るさを、８ビットの２進数で表わすデジタル階調データであり、０〜２５５の２５６段階の階調値をとる。
【００３７】
ドライバＩＣ１０３は、図３に示すように、プログラム信号電流Ｉｓｉｇをデータ線Ｘ１〜Ｘｍを介して各画素回路２２０に書き込むためのデータ書き込み回路（サンプリング回路）、データ書き込み回路の動作タイミングをコントロールするシフトレジスタ、ラッチ回路、およびデジタル／アナログ変換器等を備える。ラッチ回路は、各画素の画像データを各画素ごとに設けたデータメモリに格納して１行分の画像データを保持し、上記プログラム期間に、各データメモリに格納した画像データが一斉に読み出されてドライバＩＣ１０３内のデジタル／アナログ変換器（図示省略）へ出力されるようになっている。
【００３８】
このように、有機ＥＬパネル２では、Ｒ，Ｇ，Ｂ３種類の有機ＥＬ素子２２１（赤用有機ＥＬ素子，緑用有機ＥＬ素子および青用有機ＥＬ素子）により一つの画素２１０Ａが構成され、このような画素が複数の走査線と複数のデータ線の交差に対応してマトリクス状に配置されている。
【００３９】
複数の画素２１０Ａはそれぞれ、有機半導体材料で構成された発光層から赤色，緑色および青色の光をそれぞれ放射する赤用有機ＥＬ素子、緑用有機ＥＬ素子および青用有機ＥＬ素子を有する赤用、緑用、および青用の３種類の画素回路をそれぞれ有している（図３（ａ）参照）。一つの画素２１０Ａを構成する３種類の画素回路２２０は、各々の有機ＥＬ素子２２１から放射される光の色が異なる以外は、同じ回路構成である。
【００４０】
画素回路２２０の構成を図３（ａ）に基づいて説明する。
画素回路２２０は、駆動トランジスタＴｄｒ、プログラム用トランジスタＴｐｒｇ、プログラム時選択トランジスタＴｓｉｇ、発光時選択トランジスタＴｒｅｐおよび保持容量Ｃｓｔｇを有している。駆動トランジスタＴｄｒはＰチャネルＴＦＴで構成されている。プログラム用トランジスタＴｐｒｇ、プログラム時選択トランジスタＴｓｉｇおよび発光時選択トランジスタＴｒｅｐは、ＮチャネルＴＦＴでそれぞれ構成されている。
【００４１】
駆動トランジスタＴｄｒのドレインは発光時選択トランジスタＴｒｅｐを介して有機ＥＬ素子２２１の陽極に接続され、有機ＥＬ素子２２１の陰極は接地されている。また、駆動トランジスタＴｄｒのドレインはプログラム時選択トランジスタＴｓｉｇを介して１つのデータ線（図３（ａ）ではデータ線Ｘ１）に接続されている。また、駆動トランジスタＴｄｒのソースは高電位電源Ｖｄｄに接続されている。さらに、駆動トランジスタＴｄｒのゲートは保持容量Ｃｓｔｇの第１の電極に接続され、その保持容量Ｃｓｔｇの第２の電極は高電位電源Ｖｄｄに接続されている。プログラム用トランジスタＴｐｒｇは、駆動トランジスタＴｄｒのゲート・ドレイン間に接続されている。
【００４２】
プログラム時選択トランジスタＴｓｉｇおよびプログラム用トランジスタＴｐｒｇの各ゲートは、第１走査線の１つ（図３（ａ）では第１走査線Ｙ１）に接続されている。そして、プログラム時選択トランジスタＴｓｉｇおよびプログラム用トランジスタＴｐｒｇは、第１走査線Ｙ１からのＨレベルのプログラム期間選択信号Ｖｐｒｇに応答してオン状態
となり、ＬレベルのＶｐｒｇに応答してオフ状態となる。そして、本実施形態では、プログラム時選択トランジスタＴｓｉｇおよびプログラム用トランジスタＴｐｒｇがオン状態となると、データ線Ｘ１に上記プログラム信号電流Ｉｓｉｇが供給されるようになっている。
【００４３】
発光時選択トランジスタＴｒｅｐのゲートは、第２走査線の１つ（図３（ａ）ではＹ１１）に接続されている。また、発光時選択トランジスタＴｒｅｐは、第２走査線Ｙ１１からのＨレベルの発光期間選択信号Ｖｒｅｐに応答してオン状態となり、ＬレベルのＶｒｅｐに応答してオフ状態となる。そして、発光時選択トランジスタＴｒｅｐがオン状態になると、駆動トランジスタＴｄｒのオン状態に基づく駆動トランジスタ供給電流ＩｄｒをＯＬＥＤ供給電流Ｉｏｌｅｄとして有機ＥＬ素子２２１に供給するようになっている。
【００４４】
次に、各画素回路２２０の動作を、図３（ｂ）に基づいて簡単に説明する。
１．プログラム期間
いま、第１走査線Ｙ１からＨレベルのプログラム期間選択信号Ｖｐｒｇが供給されると、プログラム用トランジスタＴｐｒｇおよびプログラム時選択トランジスタＴｓｉｇはオン状態に設定される。このとき、第２走査線Ｙ１１からＬレベルの発光期間選択信号Ｖｒｅｐが供給されていて、発光時選択トランジスタＴｒｅｐはオフ状態に設定されている。このとき、データ線Ｘ１にプログラム信号電流Ｉｓｉｇが供給される。そして、プログラム用トランジスタＴｐｒｇがオン状態になることによって駆動トランジスタＴｄｒはダイオード接続となる。その結果、そのプログラム信号電流Ｉｓｉｇが、駆動トランジスタＴｄｒ→プログラム時選択トランジスタＴｓｉｇ→データ線Ｘ１という経路で流れる。このとき、駆動トランジスタＴｄｒのゲートの電位に対応した電荷が保持容量Ｃｓｔｇに蓄積される。
【００４５】
２．発光期間
この状態から、プログラム期間選択信号ＶｐｒｇがＬレベルとなり、発光期間選択信号ＶｒｅｐがＨレベルとなると、プログラム用トランジスタＴｐｒｇおよびプログラム時選択トランジスタＴｓｉｇがオフ状態に設定され、発光時選択トランジスタＴｒｅｐはオン状態に設定される。このとき、保持容量Ｃｓｔｇの電荷の蓄積状態は変化しないので、駆動トランジスタＴｄｒのゲート電位は、プログラム信号電流Ｉｓｉｇが流れたときの電圧に保持されている。従って、駆動トランジスタＴｄｒのソース・ドレイン間には、そのゲート電圧に応じた大きさの駆動トランジスタ供給電流Ｉｄｒ（ＯＬＥＤ供給電流Ｉｏｌｅｄ）が流れる。詳しくは、ＯＬＥＤ供給電流Ｉｏｌｅｄは、駆動トランジスタＴｄｒ→発光時選択トランジスタＴｒｅｐ→有機ＥＬ素子２２１という経路で流れる。これによって、有機ＥＬ素子２２１は、ＯＬＥＤ供給電流Ｉｏｌｅｄ（プログラム信号電流Ｉｓｉｇ）に応じた輝度で発光する。
【００４６】
このような動作が、第１走査線Ｙ２〜Ｙｎにそれぞれ接続された各画素回路２２０において順に行われて１フレーム分の表示がなされる。
また、パネルアッセンブリＡのパネル制御回路１００は、上記ＥＥＰＲＯＭ１０２と、基準電圧生成回路１０７とを備える。ＥＥＰＲＯＭ１０２には、各有機ＥＬパネル２，３．４ごとの輝度のばらつきを補正して、同じ階調値の画像データにより同じ輝度で発光するように、各有機ＥＬパネルの輝度を調整するための輝度補正データが格納されている。また、ＥＥＰＲＯＭ１０２には、ドライバＩＣ１０３の初期化のためのパラメータ、例えば各有機ＥＬパネル２，３．４でのフレーム周波数を設定するためのデータも格納されている。
【００４７】
本例では、各有機ＥＬパネル２，３，４の輝度を調整するために、電源投入時、例えばキー操作に車両の電源がオンになった時、ドライバＩＣ１０３内のデジタル／アナログ変
換器の基準電圧をＥＥＰＲＯＭ１０２に格納された輝度補正データによってＲ，Ｇ，Ｂごとに補正するようになっている。そのために、基準電圧生成回路１０７は、電源投入時にデジタル／アナログ変換器の基準電圧を輝度補正データによって補正したＲ，Ｇ，Ｂごとの基準電圧ＶｒｅｆＲ，ＶｒｅｆＧ，ＶｒｅｆＢを生成してドライバＩＣ１０３へ出力するようになっている。
【００４８】
上記移動体の表示モジュール１は、図４に示すように、自動車等の車両のインストルメントパネル２１に搭載される。真中の有機ＥＬパネルで表示されるスピードメータの上部左右には、方向指示器４０の上下方向への操作により２つの発光ダイオードが点滅する方向指示部４１，４２が設けられている。この方向指示部４１，４２は、ハザードスイッチ（図示省略）の操作により２つの発光ダイオードが同時に点滅する。
【００４９】
また移動体の表示モジュール１は、一例として図５に示すように、真中の有機ＥＬパネル２により、車速をアナログ表示するスピードメータの目盛り９１、数字９２および指針９３を表示する。また、右側の有機ＥＬパネル３によりエンジン回転数をアナログ表示するタコメータの目盛り９４、数字９５および指針９６を表示し、左側の有機ＥＬパネル４でカーナビゲーション装置４００の地図情報等の画像９７を表示する。また、有機ＥＬパネル４では、テレビの画像やＤＶＤ装置の画像も表示できる。なお、図５で符号８０はインストルメントパネル２１に取り付けられた移動体の表示モジュール１の表面に取り付けられた樹脂製のパネルカバーである。このパネルカバー８０には、真中の有機ＥＬパネル２の表示エリア１４で表示されるスピードメータ用の円形開口部８１と、右側の有機ＥＬパネル３の表示エリア１４で表示されるタコメータ用の円形開口部８２と、左側の有機ＥＬパネル４で表示される画像用の矩形開口部８３とが設けられている。
【００５０】
（画像制御ユニットの電気的構成）
次に、上記画像制御ユニットＣＵの電気的構成を図１に基づいてより詳しく説明する。
本例では、移動体の表示モジュール１は、３つの有機ＥＬパネル２，３，４に対して一つの画像制御ユニットＣＵを備える。
【００５１】
画像制御ユニットＣＵは、入力される車情報データおよび画像データに基づいて複数の表示用画像データをそれぞれ作成し３つのパネルアッセンブリＡ，Ｂ，Ｃの各パネル制御回路１００へ出力する画像処理回路１１０が設けられた画像制御基板１１１を備える。
【００５２】
また、画像制御ユニットＣＵは、複数の出力ポートから各有機ＥＬパネル２，３，４へ電源を供給する電源回路１１２と、車情報データおよび画像データがそれぞれ入力される複数の入力回路（インターフェースＩ／Ｆ１，Ｉ／Ｆ２）１１３，１１４とを備える。さらに、画像制御ユニットＣＵは、画像処理回路１１０、電源回路１１２、入力回路１１３，１１４を統括制御するＣＰＵ１１５と、各種の制御プログラム等が格納されたＲＯＭ１１６と、画像処理に用いる各種の画像データが格納されたＲＯＭ１１７と画像処理用のＲＡＭ１１８とを備える。
【００５３】
ＲＯＭ１１７には、スピードメータの目盛り９１および数字９２を表示させるための背景データ、タコメータの目盛り９４および数字９５を表示させるための背景データが格納されている。また、ＲＯＭ１１７には、スピードメータの目盛り９１および数字９２に重ねて表示される指針９３の画像を作成するための画像データ、タコメータの目盛り９４および数字９５に重ねて表示される指針９６の画像を作成するための画像データ等が格納されている。指針９３や指針９６をそれぞれ背景画像に重ねて表示する方法として、例えば次の２通りがあり、いずれの方法でも良い。
【００５４】
・所定角度ずつ位置が異なる多数の指針データ（指針９３用の指針データと指針９６用
の指針データの２種類）をＲＯＭ１１７に格納しておき、車速やエンジン回転数に応じた指針データを読み出し、読み出した指針データと上記背景データの足し算をして各メータの表示用画像データを作成する。
【００５５】
・車速データやエンジン回転数に応じた角度位置の指針９３および指針９６の画像データをそれぞれ作成し、作成した各指針の画像データと、上記背景データの足し算をして各メータの表示用画像データを作成する。
【００５６】
入力回路１１３には、有機ＥＬパネル２によりスピードメータを表示させるための車速データと、有機ＥＬパネル３によりタコメータを表示させるためのエンジン回転数データとが入力される。車速センサで検出された車速データと、エンジン回転数センサで検出されたエンジン回転数データは、それぞれ車両内のＥＣＵ（電子制御ユニット）から車載ネットワークを通じて逐次送られる。車載ネットワーク・プロトコルとして、例えば、ＣＡＮ（Controller Area Network）、Ｆｌｅｘ  Ｒａｙ等が利用可能である。
【００５７】
入力回路１１４には、自動車等の車両に搭載されるカーナビゲーション装置４００から地図情報等の画像データ（ＲＧＢごとの画像データ）が入力される。本例では、一例として、それらの画像データと一緒にクロック（同期信号）が入力回路１１４に入力されるので、その同期信号に基づいて各有機ＥＬパネル２，３，４での走査の同期をとるようになっている。なお、有機ＥＬパネル２，３，４側からのクロック（同期信号）をもらって、画像制御ユニットＣＵから各パネルアッセンブリＡ，Ｂ，Ｃ側への画像データの転送を行い、有機ＥＬパネル２，３，４の走査を行うようにしてもよい。また、入力回路１１４には、テレビ、ビデオ装置等の他のシステムからの画像データ、ＨＤＤ，ＤＶＤ等の記憶装置からの画像データを入力することもできる。
【００５８】
図１に示す画像制御ユニットＣＵにおいて、符号ａは車情報データ制御信号、符号ｂは画像データ制御信号、符号ｃは画像処理回路制御信号、符号ｄは電源回路制御信号、符号ｅはパネルアッセンブリ制御信号、符号ｆは車情報データ、符号ｇは画像データである。また、符号ｈはパネルアッセンブリＡへの電源信号、符号ｉはパネルアッセンブリＢへの電源信号、符号ｊはパネルアッセンブリＣへの電源信号、符号ｋはパネルアッセンブリＡへの画像データ、符号ｌはパネルアッセンブリＢへの画像データ、符号ｍはパネルアッセンブリＣへの画像データである。また、符号ｎは、ＲＡＭ１１８の制御信号である。
【００５９】
ＣＰＵ１１５は、車情報データ制御信号ａにより入力回路１１３に逐次入力される車情報データｆ（車速データおよびエンジン回転数データ）を画像処理回路１１０へ転送する制御を行う。また、ＣＰＵ１１５は、画像データ制御信号ｇにより入力回路１１４に入力される画像データを画像処理回路１１０へ転送する制御を行う。また、ＣＰＵ１１５は、電源回路制御信号ｄにより、電源回路１１２の各出力ポートから各パネルアッセンブリＡ，Ｂ，Ｃへ電源信号ｈ，ｉ，ｊを出力する制御を行う。また、ＣＰＵ１１５は、画像処理回路制御信号ｃにより、画像処理回路１１０から輝度調整手段としての輝度調整回路３３０を介して各パネルアッセンブリＡ，Ｂ，Ｃへ画像データｋ，ｌ，ｍを出力する制御を行う。そして、ＣＰＵ１１５は、パネルアッセンブリ制御信号ｅを各パネルアッセンブリＡ，Ｂ，Ｃへ出力する制御を行うようになっている。
【００６０】
以上の構成を有する移動体の表示モジュール１は、入力回路１１３に入力される車速データに応じた速度を表わすスピードメータを有機ＥＬパネル２に表示させるとともに、入力回路１１３に入力されるエンジン回転数データに応じたエンジン回転数を表わすタコメータを有機ＥＬパネル３に表示させる（図５参照）。また、移動体の表示モジュール１は、入力回路１１４にカーナビゲーション装置４００から地図情報等の画像データが入力される場合には、その画像データを有機ＥＬパネル４に表示させる（図５参照）。
【００６１】
さらに、移動体の表示モジュール１の画像制御ユニットＣＵは、図１に示すように、温度検出手段としての温度検出回路３００と、アナログ／デジタル変換器３１０と、コントローラ３２０と、輝度調整回路３３０とを備える。
【００６２】
温度検出回路３００は、３つの有機ＥＬパネル２〜４のいずれか一つの温度を温度センサ（図示省略）で検出し、検出した有機ＥＬパネルの温度（表示パネルの温度）を表わすアナログ信号の温度信号ｒをアナログ／デジタル変換器３１０へ出力する。温度センサとしては、例えば、熱電対、半導体の温度センサ等が使用される。
【００６３】
アナログ／デジタル変換器３１０は、有機ＥＬパネルの温度信号ｒをデジタル信号に変換し、デジタル信号の有機ＥＬパネルの温度信号ｓをコントローラ３２０へ出力する。
コントローラ３２０は、有機ＥＬパネルの温度信号ｓの値（有機ＥＬパネルの温度）を予め設定された閾値と比較し、その比較結果に基づき各有機ＥＬパネル２〜４による表示態様を変更するための表示態様変更信号ｕを輝度調整回路３３０へ出力する。表示態様変更信号ｕは、有機ＥＬパネルの温度信号ｓの値が閾値より高くなると、各有機ＥＬパネル２〜４の各画素２１０Ａの有機ＥＬ素子２２１のうち、特性劣化の温度依存性の大きな有機ＥＬ素子２２１の輝度を下げるように、各有機ＥＬパネル２〜４による表示態様を変更するための信号である。
【００６４】
本実施形態では、有機ＥＬパネルの温度が閾値より高くなると、Ｒ（赤用），Ｇ（緑用）およびＢ（青用）の３種類の有機ＥＬ素子２２１のうち、特性劣化の温度依存性の大きな色の有機ＥＬ素子２２１の輝度を下げるように、各有機ＥＬパネル２，３による表示態様を変更する。
【００６５】
そのための具体的な態様として、本実施形態では、有機ＥＬパネルの温度が閾値より高くなると、ＲＧＢ３種類の有機ＥＬ素子２２１全体での輝度を一定に保つ。この状態のまま、ＲＧＢ３種類の有機ＥＬ素子２２１のうち、特性劣化の温度依存性の大きな色の有機ＥＬ素子２２１の輝度を下げるように、ＲＧＢ３種類の有機ＥＬ素子２２１の輝度比を変える制御（以下、輝度比変更制御という。）を行う。本例では、一例として、「特性劣化の温度依存性の大きな色の有機ＥＬ素子２２１」を赤用有機ＥＬ素子と緑用有機ＥＬ素子とし、「特性劣化の温度依存性の小さな色の有機ＥＬ素子２２１」を青用有機ＥＬ素子としている。また、本例では、一例として、３つの有機ＥＬパネル２〜４のうち、有機ＥＬパネル２，３よる表示態様を上述したように変更する。
【００６６】
上記輝度比変更制御を行うために、コントローラ３２０は、有機ＥＬパネルの温度が閾値より高くなると、輝度調整信号として表示態様変更信号ｕを輝度調整回路３３０へ出力する。この表示態様変更信号ｕが入力されると、輝度調整回路３３０は、ＲＧＢ３種類の有機ＥＬ素子２２１の輝度比（輝度の配分）を、例えば図７の点Ｗで示す白の輝度比から点４００で示す輝度比へ変えて、各有機ＥＬパネル２，４での表示を、白をベースにした表示から特性劣化の温度依存性の小さな色（本例では青）をベースにした表示に変える。有機ＥＬパネル２での表示を白をベースにした表示から青をベースにした表示に変えるのは、図５に示すスピードメータの目盛り９１と数字９２を含む背景の表示である。また、有機ＥＬパネル３での表示を白をベースにした表示から青をベースにした表示に変えるのは、図５に示すタコメータの目盛り９４と数字９５を含む背景の表示である。
【００６７】
図７の点Ｗは図６で示す点Ｗに対応している。図６の色度図は、ＲＧＢ３点の色座標で結んだ色三角形の範囲内で色を再現できることを示している。図６の点Ｗで表わす白は、ｘ＝０．３３、ｙ＝０．３３の色座標で特定されるＲＧＢの輝度比（輝度の配分）で決まる。ＲＧＢの輝度の輝度比を色三角形の範囲内で変えることで、各有機ＥＬパネル２，３
による表示の色バランスを変えられる。
【００６８】
図８（ａ）は図７の点Ｗで示す白におけるＲＧＢの輝度比を示しており、図８（ｂ）は図７の点４００で示すＲＧＢの輝度比を示している。本例では、輝度比変更制御により、ＲＧＢの輝度比を図８（ａ）に示す白の輝度比から図８（ｂ）に示す輝度比に変更することで、白をベースにした表示から、図７の点４００で示す青をベースにした表示に変更する。なお、この輝度比変更制御によりＲＧＢの輝度比を変更する際に、図８（ａ）に示すＲＧＢ３種類の有機ＥＬ素子２２１全体での輝度と、図８（ｂ）に示すＲＧＢ３種類の有機ＥＬ素子２２１全体での輝度は一定に保ったままである。
【００６９】
このように輝度調整回路３３０は、有機ＥＬパネルの温度が閾値を超えて表示態様変更信号ｕが入力されると、図８（ａ）に示す輝度比から、Ｂ（青）の輝度比を上げて、Ｒ（赤）とＧ（緑）の輝度比を下げる。そのために、輝度調整回路３３０は、有機ＥＬパネル２，３の各一つの画素２１０Ａの中で、ＲＧＢ３種類の有機ＥＬ素子２２１のうち、特性劣化の温度依存性の大きな色の有機ＥＬ素子（赤用有機ＥＬ素子および緑用有機ＥＬ素子）に流す電流値を小さくする。これとともに、特性劣化の温度依存性の小さな色の有機ＥＬ素子（青用の有機ＥＬ素子）に流す電流値を大きくする。
【００７０】
このように、輝度調整回路３３０により、赤用有機ＥＬ素子と緑用有機ＥＬ素子に流す電流値を小さくし、青用有機ＥＬ素子に流す電流値を大きくして、ＲＧＢの輝度比を変更する方法としては次の３つの方法のいずれか一つを行えばよい。
【００７１】
（１）一つの画素回路２２０を構成するＲＧＢ３種類の画素回路のうち、Ｒ（赤）とＧ（緑）の各画素回路の電源ライン３４０（図３（ａ）参照）に供給する基準電圧を下げるととともに、Ｂ（青）の各画素回路の電源ライン３４０に供給する基準電圧を上げる。
【００７２】
（２）ＲＧＢ３種類の画素回路ごとに、データ線駆動回路としてのドライバＩＣ１０３内のＤＡＣ（デジタル／アナログ変換器）の基準電圧を変える。例えば、その基準電圧を変更するための信号を、図２に示す基準電圧生成回路１０７へ出力する。
【００７３】
（３）画像処理回路１１０から出力される各画素ごとの画像データ、例えば８ビットの画像データの階調値を、ＲＯＭ１１７に予め格納されたマップを参照して変更し、変更した各画素ごとの画像データｋ，ｌ，ｍを各有機ＥＬパネル２，３へ出力する。
【００７４】
本実施例では、図１にて上記（３）の方式を示したが、上記（１）の方式の場合には、図１のＡ/Ｄ変換器から出力される温度信号ｓをＣＰＵ１１５に入力して、電源回路制御
信号ｄにて電源ライン３４０に供給する基準電圧を変更する。また、上記（２）の方式の場合には、図１のＡ/Ｄ変換器から出力される温度信号ｓをＣＰＵ１１５に入力して、パ
ネルアッセンブリ制御信号ｅにて基準電圧を変更する。
【００７５】
コントローラ３２０と輝度調整回路３３０は、有機ＥＬパネルの温度が閾値より高くなると、ＲＧＢ３種類の発光素子全体での輝度を一定に保ったまま、ＲＧＢ３種類の発光素子のうち、特性劣化の温度依存性の大きな色の発光素子の輝度を下げるように、３種類の発光素子の輝度比を変える表示態様変更手段に相当する。
【００７６】
以上のように構成された第１実施形態によれば、以下の作用効果を奏する。
○温度検出回路３００で検出した有機ＥＬパネルの温度が閾値より高くなると、ＲＧＢ３種類の有機ＥＬ素子２２１全体での輝度を一定に保ったまま、有機ＥＬパネル２，３の上記背景の表示を、白をベースにした表示から熱に強い青をベースにした表示に変更するようにしている。これによれり、画面全体の輝度を変えずに、特性劣化の温度依存性の大
きな有機ＥＬ素子２２１の劣化を抑制することができ、有機ＥＬパネル２，３の長寿命化を図れる。
【００７７】
また、有機ＥＬパネル２，３の温度が閾値より高いときとその温度が閾値以下のときとで、ＲＧＢ３種類の有機ＥＬ素子２２１の輝度比、つまり色バランスを、白をベースにした表示を青をベースにした表示に変えることで、表示に変化を持たせることができる。したがって、本実施形態に係る移動体の表示モジュール１を、移動体として自動車等の車両のインストルメントパネル２１（図４参照）に搭載する場合、有機ＥＬパネルの温度が高温度になる厳しい環境においても、有機ＥＬパネルの長寿命化を図りつつ、インストルメントパネル２１全体の表示デザインを変更することができる。したがって、有機ＥＬパネルの温度が高温度になる厳しい環境においても、有機ＥＬ素子の劣化を抑制しつつ各種の情報や画素の表示が可能になる。
【００７８】
（第２実施形態）
次に、第２実施形態に係る移動体の表示モジュール１を図９に基づいて説明する。本実施形態においても、有機ＥＬパネルの温度が閾値より高くなると、各画素２１０ＡのＲＧＢ３種類の有機ＥＬ素子２２１のうち、特性劣化の温度依存性の大きな色の有機ＥＬ素子２２１の輝度を下げるように、各有機ＥＬパネル２，３による表示態様を変更する。そのための具体的な態様として、本実施形態では、有機ＥＬパネルの温度が閾値より高くなると、有機ＥＬパネル２，３で表示される画像の背景色を、ＲＧＢ３種類の有機ＥＬ素子２２１のうち、特性劣化の温度依存性の小さな色をベースにした表示に変える制御（以下、背景色変更制御という。）を行う。
【００７９】
本例では、一例として、有機ＥＬパネルの温度が閾値より高くなると、有機ＥＬパネル２，３で表示される画像の背景色を、図９に示すように、特性劣化の温度依存性の大きな色（例えば赤）をベースにした表示から、特性劣化の温度依存性の小さな色（例えば青）をベースにした表示に変えるようにしている。ここで、「画像の背景色」とは、有機ＥＬパネル２により表示される図５に示すスピードメータの目盛り９１と数字９２を含む背景の表示色であり、また、有機ＥＬパネル３により表示される図５に示すタコメータの目盛り９４と数字９５を含む背景の表示色である。なお、図９では、有機ＥＬパネル２による表示を示しているが、有機ＥＬパネル３による表示についても有機ＥＬパネル２と同様に、有機ＥＬパネルの温度が閾値より高くなると、赤をベースにした表示から、青をベースにした表示に変更する。
【００８０】
上記背景色変更制御を行うために、コントローラ３２０は、有機ＥＬパネルの温度が閾値より高くなると、輝度調整信号として表示態様変更信号ｕを輝度調整回路３３０へ出力する。この表示態様変更信号ｕが入力されると、輝度調整回路３３０は、ＲＧＢ３種類の有機ＥＬ素子２２１の輝度の配分を変えて、各有機ＥＬパネル２，４での表示を、赤をベースにした表示から、特性劣化の温度依存性の小さな色（青）をベースにした表示に変える。このような輝度調整回路３３０により輝度の配分を変更するには、上述したＲＧＢの輝度比を変更する場合と同様に、上述した３つの方法のいずれか一つを行えばよい。
【００８１】
以上のように構成された第２実施形態によれば、以下の作用効果を奏する。
○有機ＥＬパネルの温度が閾値より高くなると、各有機ＥＬパネル２，４で表示される画像の背景色を有機ＥＬ素子２２１が特性劣化の温度依存性の大きな有機ＥＬ素子２２１の色（赤）をベースにした表示から、特性劣化の温度依存性の小さな有機ＥＬ素子２２１の色（青）をベースにした表示に変える。これにより、有機ＥＬパネルの長寿命化を図りつつ、表示デザインを変更することができる。
【００８２】
○有機ＥＬパネルの温度が低いときと高いときとで、有機ＥＬパネル２，３で表示され
る画像の背景色が変わるので、ユーザに対しインストルメントパネル２１（図４参照）の表示デザインが変わったような印象を与えることができる。
【００８３】
（第３実施形態）
次に、第３実施形態に係る移動体の表示モジュール１を図１０に基づいて説明する。
上記第２実施形態では、温度検出回路３００で検出した有機ＥＬパネルの温度を一つの閾値と比較するようにしている。これに対して、第３実施形態では、有機ＥＬパネルの温度と比較する閾値として、値の小さい第１の閾値と値の大きい第２の閾値の２つ設けて、各有機ＥＬパネル２，４で表示される画像の背景色を３段階に変更するようにしている。
【００８４】
すなわち、有機ＥＬパネルの温度が第１の閾値より低いときには、前記背景色を、ＲＧＢ３種類の有機ＥＬ素子２２１の輝度の配分を図１０の領域３５１内の予め設定された色座標で決まる赤をベースにした表示にする。有機ＥＬパネルの温度が第１の閾値以上でかつ第２の閾値以下のときには、前記背景色を、赤をベースにした表示から、図１０の領域３５２内の予め設定された色座標で決まる白をベースにした表示に変更する。そして、有機ＥＬパネルの温度が第２の閾値より高くなると、前記背景色を、白をベースにした表示から、図１０の領域３５３内の予め設定された色座標で決まる青をベースにした表示に変更する。
【００８５】
以上のように構成された第３実施形態によれば、以下の作用効果を奏する。
○有機ＥＬパネルの温度と比較する閾値を２つ設けて、各有機ＥＬパネル２，４で表示される画像の背景色を３段階に変更するようにしているので、有機ＥＬパネルの長寿命化を図りつつ、表示デザインが変更された表示態様をさらに増やすことができる。
【００８６】
（第４実施形態）
次に、第４実施形態に係る移動体の表示モジュール１を図１１（ａ），（ｂ）に基づいて説明する。本実施形態においても、有機ＥＬパネルの温度が閾値より高くなると、ＲＧＢ３種類の有機ＥＬ素子２２１のうち特性劣化の温度依存性の大きな色の有機ＥＬ素子２２１の輝度を下げるように、各有機ＥＬパネル２，３による表示態様を変更する。そのための具体的な態様として、本実施形態では、有機ＥＬパネルの温度が閾値より高くなると、ＲＧＢ３種類の有機ＥＬ素子２２１の輝度比は変えずに、ＲＧＢ３種類の有機ＥＬ素子２２１の輝度をそれぞれ下げる制御（輝度変更制御）を行う。
【００８７】
つまり、本例では、有機ＥＬパネルの温度が閾値より高くなると、図１１（ａ）の点３５４で示す色の輝度比（ＲＧＢ３種類の有機ＥＬ素子２２１の輝度比）は変えずに、図１１（ｂ）に示すように３種類の有機ＥＬ素子２２１の各輝度を同じずつ下げるようにする。なお、図５に示すように表示されるスピードメータやタコメータ等の視認性を考慮すると、ＲＧＢ３種類の有機ＥＬ素子２２１の各輝度を１０％程度の範囲内で下げるのが望ましい。
【００８８】
上記輝度変更制御を行うために、図１に示すコントローラ３２０は、有機ＥＬパネルの温度が閾値より高くなると、輝度調整信号として表示態様変更信号ｕを輝度調整回路３３０へ出力する。この表示態様変更信号ｕが入力されると、輝度調整回路３３０は、ＲＧＢ３種類の有機ＥＬ素子２２１の各輝度を１０％程度の範囲内で同じずつ下げる。このようにＲＧＢ３種類の有機ＥＬ素子２２１の各輝度を下げるには、上述したＲＧＢの輝度比を変更する場合と同様に、上述した３つの方法のいずれか一つを行えばよい。
【００８９】
以上のように構成された第４実施形態によれば、以下の作用効果を奏する。
○有機ＥＬパネルの温度が閾値より高くなると、ＲＧＢ３種類の有機ＥＬ素子２２１の輝度比は変えずに、３種類の有機ＥＬ素子２２１の各輝度を同じずつ下げることで、特性
劣化の温度依存性の大きな有機ＥＬ素子の劣化を抑制することができ、有機ＥＬパネルの長寿命化を図れる。
【００９０】
（第５実施形態）
次に、第５実施形態に係る移動体の表示モジュール１を図１２（ａ），（ｂ）に基づいて説明する。本実施形態では、有機ＥＬパネルの温度が閾値より高くなると、ＲＧＢ３種類の有機ＥＬ素子２２１のうち、特性劣化の温度依存性の大きな色の有機ＥＬ素子の輝度を下げるように、各有機ＥＬパネル２，３による表示態様を変更する。
【００９１】
そのための具体的な態様として、本実施形態では、有機ＥＬパネルの温度が閾値より高くなると、各有機ＥＬパネル２，３での表示をアナログ表示（図１２（ａ）参照）からデジタル表示（図１２（ｂ）参照）に変更する。これとともに、ＲＧＢ３種類の有機ＥＬ素子２２１のうち、特性劣化の温度依存性の大きな色（赤）をベースにした表示から、特性劣化の温度依存性の小さな色（青）をベースにした表示に変える制御（表示領域変更制御）を行う。この表示領域変更制御を行う画像処理手段は、図１に示す画像処理回路１１０と輝度調整回路３３０で構成される。
【００９２】
上記表示領域変更制御を行うために、図１に示すコントローラ３２０は、有機ＥＬパネルの温度が閾値より高くなると、アナログ表示からデジタル表示に変更するための表示態様変更信号ｔ（図１参照）を画像処理回路１１０へ出力するとともに、上記表示態様変更信号ｕを輝度調整回路３３０へ出力する。
【００９３】
また、画像処理回路１１０は、表示態様変更信号ｔが入力されると、各有機ＥＬパネル２，３での表示を図１２（ａ）に示すアナログ表示から図１２（ｂ）に示すデジタル表示に変更するための画像データを輝度調整回路３３０へ出力する。このとき、画像処理回路１１０は、デジタル表示に変更するための画像データと一緒に、そのデジタル表示は有機ＥＬパネルの温度が閾値以下に下がるまでの一時的な表示であることを知らせるメッセージ「クーリング中」の表示データも輝度調整回路３３０へ出力するようになっている。また、そのアナログ表示は、一例として赤をベースにした表示である（図１２（ａ）参照）。
【００９４】
また、輝度調整回路３３０は、表示態様変更信号ｕが入力されると、画像処理回路１１０から出力される画像データの輝度比を、赤をベースにした表示から青をベースにした表示にするための輝度比に変更し、その画像データを各有機ＥＬパネル２，３へ出力する。これにより、有機ＥＬパネルの温度が閾値より高くなると、図１２（ａ）に示す赤をベースにしたアナログ表示から、図１２（ｂ）に示す青をベースにしたデジタル表示に変更される。
【００９５】
なお、自動車等の車両では、真夏にエンジンを始動すると、車室内の温度および有機ＥＬパネルの温度はかなり高い温度になっているので、このときは特性劣化の温度依存性の小さな色（青）でデジタル表示するとともに、「クーリング中」のメッセージを表示させる。車両の走行中に空調装置により車室内の温度および有機ＥＬパネルの温度が下がった時点で、そのメッセージを消して有機ＥＬ素子が特性劣化の温度依存性の大きな色（例えば赤）でメータ等をアナログ表示する状態に戻すようになっている。
【００９６】
以上のように構成された５実施形態によれば、以下の作用効果を奏する。
○有機ＥＬパネルの温度が低い間は各有機ＥＬパネル２，３での表示、例えば車速やエンジン回転数等の各種移動体情報の表示をメータでアナログ表示し、有機ＥＬパネルの温度が高くなると各種移動体情報の表示を特性劣化の温度依存性の小さな色（青）でデジタル表示する。このため、有機ＥＬパネルの温度が高温度になる厳しい環境においても特性
劣化の温度依存性の大きな有機ＥＬ素子の劣化を抑制して有機ＥＬパネルの長寿命化を図りつつ、表示デザインを変更することができる。
【００９７】
○図１２（ｂ）に示すようなデジタル表示と一緒に表示されるメッセージ「クーリング中」により、そのデジタル表示は有機ＥＬパネルの温度が下がるまでの一時的な表示であることを乗員に知らせることができる。
【００９８】
なお、この発明は以下のように変更して具体化することもできる。
・上記各実施形態では、本発明を具体化した移動体の表示モジュールについて説明したが、本発明は移動体の表示モジュールに限定されない。本発明は、複数の走査線と複数のデータ線の交差に対応してマトリクス状に配置された複数の画素と、各画素がそれぞれ複数の発光素子（例えば、ＲＧＢ３種類の有機ＥＬ素子）で構成される一つの表示パネルを備え、画像データに基づいて表示パネルを駆動する表示装置にも適用される。このような表示装置にも、有機ＥＬパネル等の発光素子の温度が閾値より高くなると、ＲＧＢ３種類の発光素子のうち、特性劣化の温度依存性の大きな色の発光素子の輝度を下げるように、表示パネル（例えば有機ＥＬパネル）による表示態様を変更するという、本発明が適用される。つまり、その表示態様の変更について上記各実施形態で説明した具体的な態様は、そのような表示装置にも当てはまる。
【００９９】
・上記各実施形態では、移動体の表示モジュール１は、図１に示すように、３つの有機ＥＬパネル２，３，４に対して一つの画像制御ユニットＣＵを備える構成としているが、３つの有機ＥＬパネル２，３，４に個別に画像制御ユニットを設ける構成にも本発明は適用可能である。
【０１００】
・上記第１実施形態では、有機ＥＬパネルの温度が閾値より高くなると、ＲＧＢ３種類の有機ＥＬ素子２２１全体での輝度を一定に保ったまま、有機ＥＬパネル２，３による上記背景の表示を、白をベースにした表示から特性劣化の温度依存性の小さな青をベースにした表示に変更する構成を一例として説明した。しかし、本発明は、これに限定されず、特性劣化の温度依存性の大きな赤或いは緑をベースにした表示を、特性劣化の温度依存性の小さな青をベースにした表示に変更する構成にも適用可能である。
【０１０１】
・上記第２実施形態では、一例として、有機ＥＬパネルの温度が閾値より高くなると、有機ＥＬパネル２，３で表示される画像の背景色を、赤をベースにした表示から青をベースにした表示に変えるようにしているが、緑をベースにした表示から青をベースにした表示に変えるようにしても良い。
【０１０２】
・上記第３実施形態では、有機ＥＬパネルの温度と比較する閾値を２つ設けて、各有機ＥＬパネル２，４で表示される画像の背景色を３段階に変更するようにしているが、その閾値の数は「３」以上であっても良い。閾値の数を増やすことで、各有機ＥＬパネル２，３で表示される画像の背景色を多段階に変更することができる。
【０１０３】
・上記第５実施形態では、有機ＥＬパネルの温度が高くなると各種移動体情報の表示を一例として青でデジタル表示しているが、本発明はこれに限定されない。要するに、そのデジタル表示を、特性劣化の温度依存性の小さな色で行う場合、その色は青に限らない。
【０１０４】
・上記第１実施形態では、各有機ＥＬパネル２，３，４の輝度を調整するために、電源投入時、ドライバＩＣ１０３内のデジタル／アナログ変換器の基準電圧をＥＥＰＲＯＭ１０２に格納された輝度補正データによってＲ，Ｇ，Ｂごとに補正するようになっている。本発明はこれに限定されない。例えば、各画素２１０Ａの基準電圧（図３（ａ）に示す画素回路で、駆動トランジスタＴｄｒのソースが接続されている高電位電源Ｖｄｄ）を、Ｒ
ＧＢ３種類の有機ＥＬ素子２２１ごとにその輝度補正データによって補正する方法にも本発明は適用可能である。或いは、各画素のＲＧＢ３種類の有機ＥＬ素子２２１の各輝度を輝度補正データによって補正し、補正した画像データを使って各各有機ＥＬパネル２，３，４を駆動する方法にも本発明は適用される。
【０１０５】
・上記第１実施形態では、データ線駆動回路として構成されたドライバＩＣ１０３がフレキシブル配線基板１０４に実装されているが、データ線駆動回路を各有機ＥＬパネル２〜４の発光素子基板１１上に形成した構成にも本発明は適用される。
【０１０６】
・上記第１実施形態では、有機ＥＬパネルの数を「３」としているが、その数は一例であって、本発明は「３」以外の複数の有機ＥＬパネルを用いた移動体の表示モジュールに適用可能である。
【０１０７】
・上記第１実施形態では、表示パネルとして有機ＥＬ素子を用いた有機ＥＬパネルを用いているが、表示パネルとして無機ＥＬ素子を用いた無機ＥＬパネルを用いた構成にも本発明は適用可能である。
【０１０８】
・上記第１実施形態では、３つの有機ＥＬパネルの一つで、カーナビゲーション装置４００の地図情報等の画像を表示するようにしていが、その有機ＥＬパネルで車両のバックモニタの映像を表示させるようにしてもよい。要するに、複数の有機ＥＬパネルでそれぞれ表示する表示態様を任意に選択することが可能である。
【０１０９】
・上記第１実施形態において、複数の有機ＥＬパネルの一部を自動車等の車両のインストルメントパネル以外の場所に配置する場合にも本発明は適用可能である。例えば、複数の有機ＥＬパネルの一部を、有機ＥＬパネルで表示される画像を後部席の乗員が見れるような場所に配置した構成にも本発明は適用可能である。
【図面の簡単な説明】
【０１１０】
【図１】第１実施形態に係る移動体の表示モジュールの電気的構成を示すブロック図。
【図２】同表示モジュールで用いるパネルアッセンブリの電気的構成を示すブロック図。
【図３】（ａ）は画素回路を示す回路図、（ｂ）は動作を示すタイミングチャート。
【図４】同表示モジュールが搭載された車両のインストルメントパネルを示す斜視図。
【図５】同表示モジュールの表示状態を示す平面図。
【図６】第１実施形態の説明に用いる色度図。
【図７】第１実施形態による表示態様の変更を示す説明図。
【図８】（ａ）は白表示の輝度比を示すグラフ、（ｂ）は青表示の輝度比を示すグラフ。
【図９】第２実施形態による表示態様の変更を示す説明図。
【図１０】第３実施形態による表示態様の変更を示す説明図。
【図１１】（ａ），（ｂ）は第４実施形態による表示態様の変更を示す説明図。
【図１２】（ａ），（ｂ）は第５実施形態による表示態様の変更を示す説明図。
【符号の説明】
【０１１１】
ｋ，ｌ，ｍ…画像データ、Ｘ１〜Ｘｍ…データ線、１…移動体の表示モジュール、２〜４…有機ＥＬパネル、９７…画像、２１０Ａ…画素、２２１…有機ＥＬ素子。
【図１】
2006250992.tif 000003
【図２】
2006250992.tif 000004
【図３】
2006250992.tif 000005
【図４】
2006250992.tif 000006
【図５】
2006250992.tif 000007
【図６】
2006250992.tif 000008
【図７】
2006250992.tif 000009
【図８】
2006250992.tif 000010
【図９】
2006250992.tif 000011
【図１０】
2006250992.tif 000012
【図１１】
2006250992.tif 000013
【図１２】
2006250992.tif 000014